(57)【要約】      （修正有）【課題】大判な基板の分断切断線を割断して順次単個分断する際、短冊状基板の送り出し方向が前処理に対し９０°姿勢を変更するため、基板の搬送とは工程ラインが別となる点を解消した基板の割断装置を提供する。【解決手段】大判な基板Ｘを搬送するベルトコンベヤＡの上側で進退走行する第１門形走行体Ｃに設けた第１カッタ、基板を吸引保持する第１パッド２４及び割りバーと、第１カッタの直下で揺動して基板Ｘを短冊分断する第１短冊分断装置と、ベルトコンベヤＡの前方で進退走行する走行台車に設けた旋回機能と吸引保持機能付のテーブル３９と、走行台車の上側で進退走行する第２門形走行体Ｆに設けた第２カッタと第２パッド５３と、第２パッド５３の基板を荷受けして搬送する払い出しベルトコンベヤ６１の下側に設けた揺動してスクライブ線を分断する第２分断装置Ｇと、から構成される。【選択図】図１
0003227552.tif 000002
【実用新案登録請求の範囲】
【請求項１】
供給大判な基板を上面に荷受けして前方に搬送するように設けたベルトコンベヤと、このベルトコンベヤのベルト全長に表裏面が貫通するように設けた無数の小孔と、上記ベルトコンベヤのキャリヤ側上記ベルトのヘッド部分を除く下側前後に前記ベルトの下面を吸引するように設けた下流側吸引手段及び上流側吸引手段と、この下流側吸引手段の上記ベルトの上側後退位置と前方との間で第１走行手段により進退走行するように設けた第１門形走行体と、この第１門形走行体に左右方向の往復走行手段により走行すると共に、昇降手段により降下して上記基板の上面端材分断及び短冊分断の切断線をスクライブするように設けた第１カッタと、上記第１門形走行体に昇降手段により降下して上記短冊基板の上面を吸引保持するように設けた第１パッドと、上記第１門形走行体に昇降手段により降下させて上記基板の短冊分断や上記基板の端材分断をするように設けた割りバーと、上記第１カッタの直下の上記下流側と上流側の吸引手段間で、分断対向端縁が起立方向に揺動して上記基板を短冊分断するように設けた第１短冊分断装置と、上記ベルトコンベヤのヘッド端の上流側と前方との間で往復走行手段により進退走行するように設けた走行台車と、この走行台車の上側で第２走行手段により進退走行するように設けた第２門形走行体と、この第２門形走行体に数値制御の走行手段により左右方向にスライドするよう設けたスライドベースと、このスライドベースに並列それぞれの位置を調整自在とし、かつ昇降手段により各自が降下して上記短冊基板の上面に一面或いは多面付の異形切断線をスクライブするように設けた首振り機能の付与複数の第２カッタと、上記走行台車に設けて前記第１パッドによる供給短冊基板を上面に保持する吸引保持機能付のテーブルと、このテーブルを平面上で９０°旋回させるように設けた旋回手段と、上記第２問形走行体に上記テーブル上の処理ずみ短冊基板を昇降手段により昇降させて取り上げるように設けた第２パッドと、この第２パッドの短冊基板を上面に荷受けして前方に搬送するように設けた払い出しベルトコンベヤと、この払い出しベルトコンベヤの全長に表裏面が貫通するように設けた無数の小孔と、この払い出しベルトコンベヤのキャリヤ側裏面の上流と下流とに前記払い出しベルトコンベヤの裏面を吸引するように設けた吸引手段と、この上流側と下流側の上記吸引手段間に分断対向縁が起端方向に揺動して第１カッタによるスクライブ線を分断するように設けた第２分断装置とからなることを特徴とする基板の割断装置。
【考案の詳細な説明】
【技術分野】
【０００１】
この考案は、大判な基板（ガラスなどの）から小判な異形基板や大判な異形基板を、１つのライン上でスクライブして割断する装置に関する。
【背景技術】
【０００２】
大判な基板に一方向の切断線をスクライブして、このスクライブの線を割断することにより短冊状（矩形）の基板が得られ、この短冊状の基板に異形切断線をスクライブし、然るのち異形切断線の部分を割断することで、異形基板を得ることは既に知られている（例えば特許文献１参照）。
【先行技術文献】
【特許文献】
【０００３】
【特許文献１】実用新案登録だい３２１６０１７号公報
【考案の概要】
【考案が解決しようとする課題】
【０００４】
ところで、特許文献１の方式によると、大判な基板から割断された短冊状基板に一面の異形切断線をスクライブするため、異形基板の量産性が悪く、大幅なコストアップになる問題があった。
【０００５】
また、短冊状基板に例えばサイドミラーのような小判な異形基板を設ける場合、短冊状基板の両端の短辺縁間に並列する分断切断線がスクライブされ、この並列する分断切断線間に異形切断線をスクライブすることになる。
【０００６】
次いで、分断切断線を割断して順次単個分断する際、短冊状基板の送り出し方向が前処理に対し９０°姿勢を変更する関係上、前述の基板の搬送ラインを使用することができない。すなわち、単個分断の必要なラインと、単個分断の不要ラインとが異なる。
【０００７】
要するに、短冊状基板の両端の短辺縁の向きが、左右方向と、前後方向とに変位することに起因する。
そこで、この考案は、上述の不都合を回避した基板の割断装置を提供することにある。
【課題を解決するための手段】
【０００８】
上記の課題を解決するために、この考案は、供給大判な基板を上面に荷受けして前方に搬送するように設けたベルトコンベヤと、このベルトコンベヤのベルト全長に表裏面が貫通するように設けた無数の小孔と、上記ベルトコンベヤのキャリヤ側上記ベルトのヘッド部分を除く下側前後に前記ベルトの下面を吸引するように設けた下流側吸引手段及び上流側吸引手段と、この下流側吸引手段の上記ベルトの上側後退位置と前方との間で第１走行手段により進退走行するように設けた第１門形走行体と、この第１門形走行体に左右方向の往復走行手段により走行すると共に、昇降手段により降下して上記基板の上面端材分断及び短冊分断の切断線をスクライブするように設けた第１カッタと、上記第１門形走行体に昇降手段により降下して上記短冊基板の上面を吸引保持するように設けた第１パッドと、上記第１門形走行体に昇降手段により降下させて上記基板の短冊分断や上記基板の端材分断をするように設けた割りバーと、上記第１カッタの直下の上記下流側と上流側の吸引手段間で、分断対向端縁が起立方向に揺動して上記基板を短冊分断するように設けた第１短冊分断装置と、上記ベルトコンベヤのヘッド端の上流側と前方との間で往復走行手段により進退走行するように設けた走行台車と、この走行台車の上側で第２走行手段により進退走行するように設けた第２門形走行体と、この第２門形走行体に数値制御の走行手段により左右方向にスライドするよう設けたスライドベースと、このスライドベースに並列それぞれの位置を調整自在とし、かつ昇降手段により各自が降下して上記短冊基板の上面に一面或いは多面付の異形切断線をスクライブするように設けた首振り機能の付与複数の第２カッタと、上記走行台車に設けて前記第１パッドによる供給短冊基板を上面に保持する吸引保持機能付のテーブルと、このテーブルを平面上で９０°旋回させるように設けた旋回手段と、上記第２問形走行体に上記テーブル上の処理ずみ短冊基板を昇降手段により昇降させて取り上げるように設けた第２パッドと、この第２パッドの短冊基板を上面に荷受けして前方に搬送するように設けた払い出しベルトコンベヤと、この払い出しベルトコンベヤの全長に表裏面が貫通するように設けた無数の小孔と、この払い出しベルトコンベヤのキャリヤ側裏面の上流と下流とに前記払い出しベルトコンベヤの裏面を吸引するように設けた吸引手段と、この上流側と下流側の上記吸引手段間に分断対向縁が起端方向に揺動して第１カッタによるスクライブ線を分断するように設けた第２分断装置とからなる構成を採用する。
【考案の効果】
【０００９】
以上のように、この考案の基板の割断装置によれば、ベルトコンベヤに大判な基板を供給することで、この大判な基板の搬出方向端縁に第１カッタで端材分断用の切断線、各短冊分断の切断線が順次スクライブされ、そして基板を第１パッドで前方に搬送するにともない割りバーで端材が分断され、分断端材は、ベルトコンベヤヘッドとテーブルとの間隙から何ら邪魔されることなく落下搬出される。
【００１０】
その後にテーブルをベルトコンベヤのヘッドに接近させることで第１パッドにより吸引保持した短冊状基板を第１門形走行体の前進にともないベルトコンベヤからテーブル上に搬送することができる。
【００１１】
このテーブル上の短冊状基板には、第２門形走行体の第２カッタにより異形截断線がスクライブされ、第２パッドによりテーブル上から払い出しコンベヤ上に移送される。
【００１２】
このとき、短冊状基板は、単個分断条付により短冊状基板の両端短辺が左右方向或いは前後方向にテーブルを９０°旋回させて向きを変更し、その後に第２分断装置で多数枚の単個分断或いは複数枚に分断されることで、１本のライン上で異形截断線の処理ずみ単個分断の基板や複数枚の基板を分断できる。
【００１３】
すなわち、一本のライン上で二種類の分断処理が選択できて大幅な加工能率をアップすることができる特有な効果があると共に、単個分断の多数枚取りや並列分断にともなう単列板、複列板にともない、小判や中判、大判などの異形基板を能率よく得ることができる。
【図面の簡単な説明】
【００１４】
【図１】この考案の実施形態を示す平面図である。
【図２】同上の大判な基板を短冊状基板に分断する部分の縦断拡大側面図である。
【図３】短冊状基板に折割する部分を示す縦断拡大側面図である。
【図４】短冊状基板の送り出し方向端の端材折割する部分を示す一部切欠拡大側面図である。
【図５】同上の端材の折割を示す一部切欠拡大側面図である。
【図６】同上の端材の折割終了を示す一部切欠拡大側面図である。
【図７】分断ずみ短冊状基板の搬出を示す一部切欠拡大側面図である。
【図８】同上の分断短冊状基板に異形切断線をスクライブする部分を示す一部切欠拡大側面図である。
【図９】同上の平面図である。
【図１０】同上の短冊状基板の搬出を示す一部切欠側面図である。
【図１１】同上に小判な異形切断線をスクライブした平面図である。
【図１２】短冊状基板の折割する部分を示す拡大平面図である。
【図１３】短冊状基板に大判な異形切断線をスクライブした平面図である。
【図１４】同上の短冊状基板の搬出姿勢を変更した平面図である。
【図１５】姿勢の変更ずみ短冊状基板の折割を示す拡大平面図である。
【考案を実施するための形態】
【００１５】
次に、この考案の実施の形態を添付図面に基づいて説明する。
図１から図４に示すＡは、供給大判な基板Ｘを上面に荷受けして前方に搬送するコンベヤである。
【００１６】
このベルトコンベヤＡは、既知のように、ヘッドプーリ１と、テールプーリ（図示省略）との間に無端状のベルト２をかけ渡して構成されていると共に、このベルト２の全長に表裏面が貫通するように設けた無数の小孔３と、上記ベルトコンベヤＡのキャリヤ側ベルト２のヘッド部分を除く下側の前後にベルト２の下面（裏面）を吸引するように設けた下流吸引手段４及び上流側吸引手段５とが設けてあり、この下流側吸引手段４及び上流側吸引手段５による吸引によりベルト２上の大判な基板Ｘを安定よく搬送することができるようになっている。
【００１７】
上記の下流側吸引手段４及び上流側吸引手段５としては、図示の場合、ベルト２の重なり頂壁に吸引口６を有するボックス７を用いて、このボックス７に接続してあるホース（図示省略）を介しボックス７内を吸引するよにしてある。
【００１８】
勿論、ベルトコンベヤＡのベルト２上から前方に大判な基板Ｘを搬出する場合は、ボックス７内にエアを圧入して、ベルト２の上面に対し基板Ｘを浮上させる。
【００１９】
また、ベルトコンベヤＡのヘッド部の直上（下流側吸引手段４と上流側吸引手段５との間と前方のヘッドプーリ１との間との間）には、数値制御の走行手段Ｂにより進退走行する第１門形走行体Ｃが設けてある。
【００２０】
上記の第１門形走行体Ｃは、図１に示すように水平材８と、水平材８の左右の両端から下方に突出する垂直材９、９とで構成され、第１走行手段Ｂは、図１に示すように、ベルトコンベヤＡのヘッド部の両側から前方に延びる二条のレール１０と、この垂直材９の下端に設けてレール１０にスライド自在に係合したスライダ１１とで構成され、レール１０とスライダ１１との対向面に設けてある数値制御のリニアモーター１２により第１門形走行体Ｃを前後方向に進退走行させるようにしたが、限定されず、例えばモーターにより雄ネジを可逆駆動して、スライダ１１側に雌ネジを保持した（図示省略）方式を用いることもある。
【００２１】
さらに、第１門形走行体Ｃには、左右方向の往復走行手段Ｄにより、ベルトコンベヤＡの上側で走行し、かつシリンダの昇降手段１３により降下して大判な基板Ｘの上面両側縁間に前記大判な基板Ｘを短冊状に分断するための切断線１４（図９参照）をスクライブする第１カッタ１５が設けてある。
【００２２】
この第１カッタ１５は、上記切断線１４のスクライブ以外に、矩形基板Ｘ−１の搬出方向端縁の端材１６を分断するための切断線１７（図５参照）をスクライブする。
【００２３】
上記の切断線１７から端材１６を分断するために、第１門形走行体Ｃには、昇降手段１８としての図示シリンダの伸長作用により降下する割りバー１９が設けてある。
すると、端材１６の存在しない矩形基板Ｘ−１が搬出することができる。
【００２４】
また、第１門形走行体Ｃの左右の垂直材間に二条のレール２０を設けて、このレール２０にスライド自在に係合するスライダ２１を有する水平なプレート２２に昇降手段２３としてのシリンダの作用により昇降する左右の第１パッド２４を設けてあるので、短冊基板Ｘ−１を保持して前方に搬送することができる。
【００２５】
なお、短冊基板Ｘ−１の搬出をリニアモーター１２で、端材１６の割断位置への送り出しをモーターなどを用いた進退走行手段２５を設けて行うようにしたが、限定されず、リニアモーター１２のみで行うようにすることもある。
【００２６】
なお、図４に示すように、第１門形走行体Ｃに上下二条のレール２６を設けて、このレール２６に第１カッタ１５の支持プレート２７のスライダ２８をスライド自在に係合すると共に、第１門形走行体Ｃと支持プレート２７の対向面に設けてあるリニアモーター２９により第１カッタ１４の単独走行ができるようになっている。
【００２７】
また、図２、４、５に示すように、第１門形走行体Ｃとプレート２２との対向面に設けてあるリニアモーター３０により左右方向にプレート２２をスライドさせることによる左右の各第１パッド２４の位置を調整することができる。
【００２８】
さらに、第１カッタ１５の走行ラインの直上で、ベルト２の下側下流側吸引手段４と上流側吸引手段５間には、分断対向縁が起立方向に揺動して大判な基板Ｘを切断線から短冊分断する第１短冊分断装置Ｄが設けてある。
【００２９】
上記の第１短冊分断装置Ｄは、図１、２、３、４に示すように、ベルト２の走行方向前後に対向縁（分断用の）が位置するようにベルト２の走行方向前後に配置した揺動板３２、３２と、この両揺動板３２の離反縁を揺動自在に支持したピン３３と、両揺動板３２の対向縁下側で両揺動板３２の対向縁を押し上げるためのカムやシリンダなどの突き上げ手段３４とで構成され、突き上げ手段３４による突き上げにともなう両揺動板３２の対向縁の上昇にともない切断線１４を分断するようにしたが、上記構成に限定されず、その他の構成により目的を達成することもある。
【００３０】
また、ベルトコンベヤＡの前方（プーリ１の上流と前方との間）には、走行手段３５により進退走行する走行台車３６が設けてある。
【００３１】
上記の走行手段３５としては、前後方向のレール３７に走行台車３６のスライダ３８をスライド自在に係合すると共に、スライダ３８とレール３７との重なり面に走行手段３５としてのリニアモーターを設けたが、限定されず、モーターによりドライブする雄ネジと、この雄ネジにねじ込んだ支持雌ネジとで構成してもよい。
【００３２】
さらに、走行台車３６上には、第１パッド２４により上面に供給された短冊状の基板Ｘ−１を荷受けする吸引保持機能付のテーブル３９が設けてある。
【００３３】
そして、テーブル３９は、旋回手段としてのモーター４１により旋回軸４２を９０°旋回（平面上で）するようになっている。
【００３４】
上記のテーブル３９は、図７に示すように、走行台車３６上に搭載したモーター４１の旋回軸４２の上端にテーブル３９を支持させてあり、吸引保持機能としては、中空なテーブル３９の頂壁に多数の吸引口４３を設けて、テーブル３９内の吸引にともない上記テーブル３９の上面に短冊状の基板Ｘ−１を吸引保持するようにしてある。
【００３５】
すると、割りバー１９により端材１６を分断させて、分断端材１６がベルトコンベヤＡのヘッドプーリ１の前方から落下したのち、走行手段３５によりテーブル３９が後方に走行し、かつヘッドプーリ１に接近してテーブル３９が停止すると、テーブル３９上に第１パッド２４によりベルトコンベヤＡ上から短冊状の基板Ｘ−１が移載される。その要因は、ベルトコンベヤＡのヘッドプーリ１の前方にスムーズに割りバー１９により分断された端下させることにあり、その後に走行手段３５により走行台車３６をヘッドプーリ１側に走行させる。
【００３６】
また、ベルトコンベヤＡのヘッド端の上流側と前方との間で第２走行手段Ｅにより走行台車３６の上側で進退走行する第２門形走行体Ｆが設けてある。
【００３７】
上記第２門形走行体Ｆの前後方向の走行（往復）は、第１門形走行体Ｃと同様につき詳細な説明を省略する。
【００３８】
さらに、第２門形走行体Ｆには、数値制御の走行手段４５により左右方向にスライドするスライドベース４６が設けてある。
【００３９】
上記のスライドベース４６の左右方向のスライドガイドは、図示の場合、第２門形走行体Ｆの第１門形走行体Ｃに対向する面の上下に設けた水平なガイドレール４７にスライドベース４６に支持してあるスライダ４８をスライド自在に係合し、数値制御の走行手段４５として、第２門形走行体Ｆとスライドベース４６との対向面に設けてあるリニアモーターを用いるようにしたが、限定されず，数値制御のモーターにより可逆駆動する雄ネジに雌ネジをねじ込む方式などであってもよい。
【００４０】
そして、スライドベース４６には、スライドベース４６に並列され、それぞれの位置を調整自在とし、かつ昇降手段３１により各自が降下して短冊状の基板Ｘ−１の上面に一面或いは多面付の異形切断線Ｙをスクライブする首振り機能４９の付与された複数の第２カッタ５０が設けてある。
【００４１】
上記のスライドベース４６に縦方向のガイド５１により昇降スライドする昇降板５２を設けると共に、この昇降板５２にシリンダ５３で下向き加圧力の付与取付けベース５４を介し首振り機能４９付の第２カッタ５０を設けておく。
【００４２】
すると、短冊状の基板Ｘ−１に異形切断線Ｙ（図９参照）を一面或いは多面付スクライブされる。
勿論、このスクライブは、短冊状の基板Ｘ−１の短辺縁両端間に多数条の切断線１４を処理して、各処理区分内に多数個の図９に示す小判取りを行うため以外に、図１３に示す大判取りを行うこともある。
【００４３】
そして、第２カッタ５０により異形切断線Ｙをスクライブする際、各区分内のコーナーに半裁線８１（図９参照）をスクライブして、端材の分断分離作業が容易に行えることは、勿論可能である以外に、図１３に示すように並列する大判な異形切断線Ｙ間に分断切断線Ｚをスクライブすることもできる。
【００４４】
前述の第２カッタ５０による異形切断線Ｙをスクライブされる短冊状の基板Ｘ−１は、第２門形走行体Ｆに設けてあるシリンダ７３により昇降する第２パッド５３により取り上げて、テーブル３９の前進停止位置の前側に配置した払い出しベルトコンベヤ６１上に供給し、次加工、例えば小判、中判、大判な製品サイズにするための異形切断線Ｙの外側端材をロボットアーム（実用新案登録第３２２３１２１号公報や実用新案登録第３２２１２９３号公報や実用新案登録第３２１９８０４号公報参照）などで分断作業する。
【００４５】
上記の第２パッド５３は、図８に示すように第２門形走行体Ｆのレール６２と係合したスライダ６３とで左右方向にスライドし、かつリニアモーターなどの第３走行手段６４で左右の位置調整位置にスライドさせることができるスライドプレート６５にシリンダ６６により昇降するように設けてあり、上記のスライドプレート６５は、シリンダ６６により上下方向の位置（高さ）を調整するようにしてある。
【００４６】
なお、払い出しベルトコンベヤ６１の下流部分には、前後の揺動板３２の対向縁が払い出しベルトコンベヤ６１の走行方向に対直角に交差する第２分断装置Ｇを配置して、短冊状基板Ｘ−１の小判に分断する切断線１４が払い出しベルトコンベヤ６１の走行方向に直角に交差するように、短冊状の基板Ｘ−１の両端短辺縁が払い出しベルトコンベヤ６１の走行方向前後に位置するようにテーブル３９を９０°旋回させて向きを変更し、また図１５に示すように大判な異形基板の切断線Ｚが払い出しベルトコンベヤ６１の走行方向前後に位置する場合、大判な異形基板の切断線Ｚが払い出しベルトコンベヤ６１の走行方向を横切るように、短冊状の基板Ｘ−１の向きを図１４から図１５に示すようにテーブル３９を旋回させて変更しておく。
【００４７】
なお、上記第２分断装置Ｇの揺動板３２の揺動支点の構成及び突き上げ手段３４は、第１短冊分断装置Ｄと同様につき詳細な説明を省略する。
【００４８】
前記第１門形走行体Ｃ及び第２門形走行体Ｆに搭載してあるカメラＰ−１、Ｐ−２により大判な基板Ｘ、短冊状の基板Ｘ−１のマーク（図示省略）を読み取って、この読み取りにともない第１カッタ１５や第２カッタ５０によるスクライブ線の正確な位置を旋回軸４２の回動によりテーブル３９を時計、反時計方向に旋回させて修正することは、すでに知られている。
【００４９】
図中７５は基板Ｘ−１の払い出しコンベヤ６１への移送吸着パッドである。７６は基板Ｘ−１の吸引保持手段である。
【符号の説明】
【００５０】
Ａ  ベルトコンベヤ
Ｂ  第１走行手段
Ｃ  第１門形走行体
Ｄ  第１短冊分断装置
Ｅ  第２走行手段
Ｆ  第２門形走行体
Ｘ  大判な基板
Ｘ−１  基板
Ｙ  異形切断線
Ｇ  第２分断装置
１  プーリ
２  ベルト
３  小孔
４  下流側吸引手段
５  上流側吸引手段
６  吸引口
７  ボックス
８  水平材
９  垂直材
１０  レール
１１  スライダ
１２  リニアモーター
１３  昇降手段
１４  切断線
１５  第１カッタ
１６  端材
１７  切断線
１８  昇降手段
１９  割りバー
２０  シリンダ
２１  スライダ
２２  プレート
２３  昇降手段
２４  第１パッド
２５  進退走行手段
２６  レール
２７  支持プレート
２８  スライダ
２９  リニアモーター
３０  リニアモーター
３１  昇降手段
３２  揺動板
３３  ピン
３４  突き上げ手段
３５  走行手段
３６  走行台車
３７  レール
３８  スライダ
３９  テーブル
４１  モーター
４２  旋回軸
４３  吸引孔
４４  走行手段
４５  走行手段
４６  スライドベース
４７  ガイドレール
４８  スライダ
４９  首振り機構
５０  第２カッタ
５１  ガイド
５２  昇降板
５３  第２パッド
６１  払い出しベルトコンベヤ
６２  レール
６３  スライダ
６４  第３走行手段
６５  スライドプレート
６６  シリンダ
【図１】
0003227552.tif 000003
【図２】
0003227552.tif 000004
【図３】
0003227552.tif 000005
【図４】
0003227552.tif 000006
【図５】
0003227552.tif 000007
【図６】
0003227552.tif 000008
【図７】
0003227552.tif 000009
【図８】
0003227552.tif 000010
【図９】
0003227552.tif 000011
【図１０】
0003227552.tif 000012
【図１１】
0003227552.tif 000013
【図１２】
0003227552.tif 000014
【図１３】
0003227552.tif 000015
【図１４】
0003227552.tif 000016
【図１５】
0003227552.tif 000017
【手続補正書】
【提出日】令和2年6月3日(2020.6.3)
【手続補正１】
【補正対象書類名】明細書
【補正対象項目名】０００８
【補正方法】変更
【補正の内容】
【０００８】
上記の課題を解決するために、この考案は、供給大判な基板を上面に荷受けして前方に搬送するように設けたベルトコンベヤと、このベルトコンベヤのベルト全長に表裏面が貫通するように設けた無数の小孔と、上記ベルトコンベヤのキャリヤ側上記ベルトのヘッド部分を除く下側前後に前記ベルトの下面を吸引するように設けた下流側吸引手段及び上流側吸引手段と、この下流側吸引手段の上記ベルトの上側後退位置と前方との間で第１走行手段により進退走行するように設けた第１門形走行体と、この第１門形走行体に左右方向の往復走行手段により走行すると共に、昇降手段により降下して上記基板の上面端材分断及び短冊分断の切断線をスクライブするように設けた第１カッタと、上記第１門形走行体に昇降手段により降下して上記短冊基板の上面を吸引保持するように設けた第１パッドと、上記第１門形走行体に昇降手段により降下させて上記基板の短冊分断や上記基板の端材分断をするように設けた割りバーと、上記第１カッタの直下の上記下流側と上流側の吸引手段間で、分断対向端縁が起立方向に揺動して上記基板を短冊分断するように設けた第１短冊分断装置と、上記ベルトコンベヤのヘッド端の上流側と前方との間で往復走行手段により進退走行するように設けた走行台車と、この走行台車の上側で第２走行手段により進退走行するように設けた第２門形走行体と、この第２門形走行体に数値制御の走行手段により左右方向にスライドするよう設けたスライドベースと、このスライドベースに並列それぞれの位置を調整自在とし、かつ昇降手段により各自が降下して上記短冊基板の上面に一面或いは多面付の異形切断線をスクライブするように設けた首振り機能の付与複数の第２カッタと、上記走行台車に設けて前記第１パッドによる供給短冊基板を上面に保持する吸引保持機能付のテーブルと、このテーブルを平面上で９０°旋回させるように設けた旋回手段と、上記第２門形走行体に上記テーブル上の処理ずみ短冊基板を昇降手段により昇降させて取り上げるように設けた第２パッドと、この第２パッドの短冊基板を上面に荷受けして前方に搬送するように設けた払い出しベルトコンベヤと、この払い出しベルトコンベヤの全長に表裏面が貫通するように設けた無数の小孔と、この払い出しベルトコンベヤのキャリヤ側裏面の上流と下流とに前記払い出しベルトコンベヤの裏面を吸引するように設けた吸引手段と、この上流側と下流側の上記吸引手段間に分断対向縁が起端方向に揺動して第１カッタによるスクライブ線を分断するように設けた第２分断装置とからなる構成を採用する。
【手続補正２】
【補正対象書類名】実用新案登録請求の範囲
【補正対象項目名】全文
【補正方法】変更
【補正の内容】
【実用新案登録請求の範囲】
【請求項１】
供給大判な基板を上面に荷受けして前方に搬送するように設けたベルトコンベヤと、このベルトコンベヤのベルト全長に表裏面が貫通するように設けた無数の小孔と、上記ベルトコンベヤのキャリヤ側上記ベルトのヘッド部分を除く下側前後に前記ベルトの下面を吸引するように設けた下流側吸引手段及び上流側吸引手段と、この下流側吸引手段の上記ベルトの上側後退位置と前方との間で第１走行手段により進退走行するように設けた第１門形走行体と、この第１門形走行体に左右方向の往復走行手段により走行すると共に、昇降手段により降下して上記基板の上面端材分断及び短冊分断の切断線をスクライブするように設けた第１カッタと、上記第１門形走行体に昇降手段により降下して上記短冊基板の上面を吸引保持するように設けた第１パッドと、上記第１門形走行体に昇降手段により降下させて上記基板の短冊分断や上記基板の端材分断をするように設けた割りバーと、上記第１カッタの直下の上記下流側と上流側の吸引手段間で、分断対向端縁が起立方向に揺動して上記基板を短冊分断するように設けた第１短冊分断装置と、上記ベルトコンベヤのヘッド端の上流側と前方との間で往復走行手段により進退走行するように設けた走行台車と、この走行台車の上側で第２走行手段により進退走行するように設けた第２門形走行体と、この第２門形走行体に数値制御の走行手段により左右方向にスライドするよう設けたスライドベースと、このスライドベースに並列それぞれの位置を調整自在とし、かつ昇降手段により各自が降下して上記短冊基板の上面に一面或いは多面付の異形切断線をスクライブするように設けた首振り機能の付与複数の第２カッタと、上記走行台車に設けて前記第１パッドによる供給短冊基板を上面に保持する吸引保持機能付のテーブルと、このテーブルを平面上で９０°旋回させるように設けた旋回手段と、上記第２門形走行体に上記テーブル上の処理ずみ短冊基板を昇降手段により昇降させて取り上げるように設けた第２パッドと、この第２パッドの短冊基板を上面に荷受けして前方に搬送するように設けた払い出しベルトコンベヤと、この払い出しベルトコンベヤの全長に表裏面が貫通するように設けた無数の小孔と、この払い出しベルトコンベヤのキャリヤ側裏面の上流と下流とに前記払い出しベルトコンベヤの裏面を吸引するように設けた吸引手段と、この上流側と下流側の上記吸引手段間に分断対向縁が起端方向に揺動して第１カッタによるスクライブ線を分断するように設けた第２分断装置とからなることを特徴とする基板の割断装置。